(57)【要約】【課題】簡単な構造を有し、対象物の形状や大きさ等に関わりなく、当該対象物を害虫から保護することが可能な害虫駆除用製品を提供する。【解決手段】害虫駆除成分が含有された材料から形成された複数の害虫駆除部材１０と、各々の害虫駆除部材１０同士を連結する連結部材を備えてなり、対象物を害虫から保護する害虫駆除用製品１である。【選択図】図１
2007097431.tif 000002
【特許請求の範囲】
【請求項１】
対象物を害虫から保護する害虫駆除用製品であって、
害虫駆除成分が含有された材料から少なくとも一部が形成された複数の害虫駆除部材と、
前記各々の害虫駆除部材同士を連結する連結部材と、
を備えてなる害虫駆除用製品。
【請求項２】
前記害虫駆除部材全体が、害虫駆除成分が含有された材料から構成されてなる請求項１記載の害虫駆除用製品。
【請求項３】
前記連結部材は、前記対象物の形状に沿って屈曲可能である請求項１または請求項２記載の害虫駆除用製品。
【請求項４】
前記連結部材は、ネット形状を有してなる請求項１ないし請求項３のいずれか一項に記載の害虫駆除用製品。
【請求項５】
前記害虫駆除部材は、前記連結部材に対し着脱可能に取り付けられる請求項１ないし請求項４のいずれか一項に記載の害虫駆除用製品。
【請求項６】
前記害虫駆除部材は、前記連結部材に固定されてなる請求項１ないし請求項４のいずれか一項に記載の害虫駆除用製品。
【請求項７】
前記連結部材は、害虫駆除成分が含有された材料から形成されてなる請求項１ないし請求項６のいずれか一項に記載の害虫駆除用製品。
【請求項８】
前記害虫駆除部材は、前記連結部材を貫通する貫通部を備えてなる請求項１ないし請求項６のいずれか一項に記載の害虫駆除用製品。
【請求項９】
前記害虫駆除成分が、薬殺成分、成長制御成分、忌避成分、誘引成分のいずれかである請求項１ないし請求項８のいずれか一項に記載の害虫駆除用製品。
【請求項１０】
前記複数の害虫駆除部材は、異なった害虫駆除成分が含有された少なくとも２種類である請求項９記載の害虫駆除用製品。
【発明の詳細な説明】
【技術分野】
【０００１】
本発明は、様々な対象物に害を与える可能性がある害虫から当該対象物を保護する害虫駆除用製品に関する。
【背景技術】
【０００２】
従来から、蟻の他、クモ、ムカデ等の節足動物並びにこれらに類する害虫等に対して忌避効果がある成分を含んでいる害虫忌避用製品として、例えば、忌避剤が含有された略三角錐形状の樹脂製品が紹介されている。この害虫忌避用製品は、果実やナッツ等の作物が実る植物の幹に取り付けると、その略三角錐形状と忌避剤との相加効果により、様々な害虫、特にファイヤーアント（the red imported fire ants）が、地面から幹を伝って這い上がってくることを阻止し、作物に対する被害を防止することができる。（例えば、特許文献１参照）。
【０００３】
また、害虫から保護すべき対象物に、害虫忌避成分が含有された樹脂から構成された害虫忌避用製品を取り付けることにより、害虫忌避用製品から徐々に放出される害虫忌避成分の効果によって、前記対象物を昆虫から保護する方法も紹介されている。（例えば、特許文献２参照）。
【特許文献１】ＵＳ２００２／０１３９０６１号公報
【特許文献２】特開２００４−３５７５５３号公報
【発明の開示】
【発明が解決しようとする課題】
【０００４】
しかしながら、特許文献１及び２に記載された害虫忌避用製品は、害虫から保護すべき対象物に直接配設する構成を備えているため、前記対象物の形状に制限がある。また、害虫忌避用製品の形状を、前記対象物の形状に合わせる場合、様々なサイズや形状の害虫忌避用製品を製造する必要があり、不経済である。さらに、前述のファイヤーアントの場合、雨や寒さをしのぐため、コロニーごと屋外トランスや信号制御等のコントロールボックスに入り込んでくるため、対象装置や機器全体を保護する解決策とはなっていない。
【０００５】
ここで、害虫による被害を受ける対象物としては、作物や、密閉性が要求される機器や家屋、屋外に設置する必要がある機器、または、自動車、自動二輪車、トラクタ等、屋外で使用される機器等、様々な形態のものが挙げられるが、特許文献１及び２に記載された害虫忌避用製品は、例えば、自動車、自動二輪車、トラクタ等、比較的大型の機器全体を包囲して、害虫から保護することについて考慮されていない。
【０００６】
本発明は、このような事情に鑑みなされたものであり、簡単な構造を有し、対象物の形状や大きさ等に関わりなく、当該対象物を害虫から保護することが可能な害虫駆除用製品を提供することを目的とする。
【課題を解決するための手段】
【０００７】
この目的を達成するため、本発明は、対象物を害虫から保護する害虫駆除用製品であって、害虫駆除成分が含有された材料から少なくとも一部が形成された複数の害虫駆除部材と、前記各々の害虫駆除部材同士を連結する連結部材と、を備えてなる害虫駆除用製品を提供するものである。
【０００８】
この構成を備えた害虫駆除用製品は、害虫駆除部材を連結部材によって連結した構成を備えているため、対象物を害虫から保護すべき対象物の形状に合わせて、前記害虫駆除部材の連結数を増減することができ、前記対象物の形状に簡単に合わせることができる。したがって、対象物の形状や大きさ等に関わりなく、当該対象物を害虫から保護することができる。また、害虫駆除部材は、連結部材によって連結されており、個々の害虫駆除部材がバラバラにばらまかれることがないため、使用後の回収を簡単に行うことができる。このため、環境汚染等の問題が生じることを防止することや、昨今の製造品質上の管理として要求されているドレサビリティーを向上させることが可能である。
【０００９】
なお、本発明でいう「害虫」とは、単に虫のみを示すものではなく、人畜や作物、機械、機器等に、直接的あるいは間接的に害を与えることによって、これらに支承をきたす小動物の総称のことであり、例えば、蟻、クモ、ムカデ、ゴキブリ、ヤモリ、ネズミ、鳩、カラス等、あるいはこれらに類する動物が挙げられる。
【００１０】
また、本発明でいう「駆除」とは、害虫等を追い払ったり、殺したりして除いたり、害虫等から対象物を防護したり、害虫の成長を制御（阻止）したりすることを示す。また、この駆除には、これらの効果を発揮させるために、害虫をおびき寄せることも含まれるものとする。
【００１１】
また、本発明にかかる害虫駆除部材は、その全体を害虫駆除成分が含有された材料から形成することもできる。
【００１２】
そしてまた、本発明にかかる害虫駆除用製品の一態様としては、前記連結部材を前記対象物の形状に沿って屈曲可能に構成することが挙げられる。このように構成することで、害虫駆除用製品をさらに容易に対象物の形状に合わせることができ、当該対象物を害虫からより確実に保護することができる。
【００１３】
また、前記連結部材は、ネット形状を有していてもよい。この場合、害虫駆除部材は、ネット形状を画定する交差部分に配設してもよく、当該交差部分以外の領域に配設してもよい。害虫駆除部材を前記交差部分に配設する場合、複数の連結部材の各々を害虫駆除部材によってそれぞれ連結してネット形状に構成してもよく、予めネット形状に構成した連結部材の交差部分に害虫駆除部材を配設してもよい。また、予めネット形状に構成した連結部材の交差部分に害虫駆除部材を配設する場合、害虫駆除部材は、全ての交差部分に配設しなくてもよい。
【００１４】
そしてまた、本発明にかかる害虫駆除用製品の一態様として、前記害虫駆除部材は、前記連結部材に対し着脱可能に取り付けることができる。このようにすることで、例えば、害虫駆除部材が寿命となった場合に、簡単に取り替えることができる。また、害虫駆除用製品を使用する必要がなくなった際には、連結部材から害虫駆除部材を取り外して保存することもできる。
【００１５】
また、本発明にかかる害虫駆除用製品の一態様として、前記害虫駆除部材は、前記連結部材に固定してもよい。
【００１６】
さらにまた、前記連結部材は、害虫駆除成分が含有された材料から形成されていてもよい。この場合、前記利点に加え、さらに防虫駆除効果を向上させることができる。
【００１７】
また、本発明にかかる害虫駆除用製品の一態様として、前記害虫駆除部材は、前記連結部材を貫通する貫通部を備えていてもよい。このように構成することで、害虫駆除部材を連結部材にさらに簡単に取り付けることができる。
【００１８】
そしてまた、本発明にかかる害虫駆除用製品では、害虫駆除部材に含有される害虫駆除成分を、薬殺成分、成長制御成分、忌避成分、誘引成分から任意に選択することができる。この場合、害虫駆除部材として、薬殺成分を含有する害虫駆除部材、成長制御成分を含有する害虫駆除部材、忌避成分を含有する害虫駆除部材、誘引成分を含有する害虫駆除部材の最大４種類を得ることが可能となる。
【００１９】
なお、前記複数の害虫駆除部材は、異なった害虫駆除成分が含有された少なくとも２種類であればよい。
【発明の効果】
【００２０】
本発明にかかる害虫駆除用製品は、害虫駆除成分が含有された材料から形成された複数の害虫駆除部材を連結部材によって連結した構成を備えているため、対象物を害虫から保護すべき対象物の形状に合わせて、前記害虫駆除部材の連結数を増減することができ、前記対象物の形状に簡単に合わせることができる。この結果、対象物の形状や大きさ等に関わりなく、当該対象物を害虫から保護することができる。また、前記個々の害虫駆除部材がバラバラにばらまかれることがないため、使用後の回収を簡単に行うことができる。この結果、環境汚染等の問題が生じることを防止することもできる。
【発明を実施するための最良の形態】
【００２１】
次に、本発明の好適な実施の形態にかかる害虫駆除用製品について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００２２】
図１は、本実施の形態にかかる害虫駆除用製品の斜視図、図２は、図１に示す害虫駆除用製品の構成要素である害虫駆除部材の本体を示す正面図、図３は、図２に示す本体の側面図、図４は、図１に示す害虫駆除用製品の構成要素である害虫駆除部材の蓋部を示す正面図、図５は、図４に示す蓋部の側面図、図６は、図２に示す本体に図４に示す蓋部を被せる状態を示す正面図、図７は、図１に示す害虫駆除用製品の構成要素である害虫駆除部材の正面図、図８は、図１に示す害虫駆除用製品をトラクタに適用した状態を示す斜視図である。
【００２３】
図１に示すように、本実施の形態にかかる害虫駆除用製品１は、複数の害虫駆除部材１０と、これらの害虫駆除部材１０を連結する連結部材としてのネット５０を備えて構成されている。
【００２４】
ネット５０は、一般的に市販されているポリエチレン製やナイロン製等、様々なものが使用可能である。
【００２５】
害虫駆除部材１０は、図１〜図７に示すように、略円筒形の本体１１と、この本体１１に着脱可能に被せられる蓋部１２を備えている。これら本体１１及び蓋部１２は、害虫駆除成分が含有された樹脂から形成されている。
【００２６】
なお、本体１１及び蓋部１２は、例えば、射出成形、押出成形、プレス成形、ブロー成形、マシニング成形等公知の各種成形方法により成形することができる。また、本発明にかかる害虫駆除部材１０の形状としては、特に制限はなく、平板状、棒状、円筒状、櫛形、球形等あらゆる形状とすることができる。また、本発明にかかる害虫駆除部材１０は、通常の樹脂組成物や金属等とともに二色ないし多色成形して所望部分が、害虫駆除性を有する構造部材等とすることもできる。
【００２７】
害虫駆除成分としては、例えば、薬殺成分、成長制御成分、忌避成分、誘引成分等が挙げられ、例えば、害虫駆除活性を有する化合物、殺傷害虫活性を有する化合物、害虫の摂食阻害活性、害虫の成長コントロール活性を有する化合物等を挙げることができる。具体的には、イミダクロプリドの様なクロロニコチニル系殺虫剤、シラフルオフェンの様なケイ素原子を有するネオフィルラジカルからなる化合物、ベンフラカルブ、アラニカルブ、メトキシジアゾン、カルボスファン、フェノブカルブ、カルバリル、メソミル、プロポクサー、フェノキシカルブ等のカーバメート系化合物、ピレトリン、アレスリン、dl,d-T80−アレスリン、d-T80-レスメトリン、バイオアレスリン、d-T80-フタルスリン、フタルスリン、レスメトリン、フラメトリン、プロパスリン、ペルメトリン、アクリナトリン、エトフェンプロックス、トラロメトリン、フェノトリン、d-フェノトリン、フェンバレレート、エンペントリン、プラレトリン、テフルスリン、ベンフルスリン等のピレスロイド系化合物、ジクロロボス、フェニトロチオン、ダイアジノン、マラソン、プロモフォス、フェンチオン、トリクロルホン、ナレド、テメホス、フェンクロホス、クロルピリホスメチル、シアホス、カルクロホス、アザメチホス、ピリダフェンチオン、プロペタンホス、クロルピリホス等の有機リン系化合物及びこれらの異性体、誘導体、類縁体等を例示できる。また、メトプレン、ピリプロキシフェン、キノプレン、ハイドロプレン、デオヘノラン、NC-170、フルフェノロクスロン、ジフルベンズロン、ルフェヌロン、クロルアズロン等の小動物の成長をコントロールする活性を有する化合物が挙げられる。また、殺ダニ剤としてケルセン、クロルフェナビル、デブフェンピラドピリダベン、ミルベメクチン、フェンピロキシメート、殺鼠剤としてはシリロシド、ノルボマイド、隣化亜鉛、硫酸タリウム、貴隣、アンツー、ワルファリン、エンドサイド、クマリン、クマテトラリン、プロマジオロン、ディフェチアロン等が挙げられる。
【００２８】
また、害虫駆除成分が含有される樹脂としては、例えば、ポリアセタール樹脂、ポリアミド樹脂、アクリロニトリル・ブタジエン・スチレン共重合体（ＡＢＳ樹脂）、ポリスチレン（ＰＳ）、ポリエチレン（ＰＥ）、ポリプロピレン（ＰＰ）、ポリカーボネート（ＰＣ）、塩化ビニル樹脂（ＰＶＣ）、ポリブチレンテレフタレート（ＰＢＴ）、ポリエチレンテレフタレート（ＰＥＴ）、ポリフェニレンオキシド（ＰＰＯ）、及びこれらの樹脂にエストラマーを混合した熱可塑性エストラマーの少なくとも１種の樹脂等が選択される。さらに、前記樹脂には、当該樹脂に対して害虫駆除成分を溶解保持し、徐放性を付与する作用を有するための化合物を含めることがより好ましい。
【００２９】
徐放性を有する化合物としては、例えば、スルホンアミド誘導体、スルホン酸エステル誘導体、カルボン酸アミド誘導体、カルボン酸エステル誘導体より選ばれる少なくとも１種の化合物等を挙げることができる。
【００３０】
このように、徐放性を有する化合物を樹脂に含有させることにより、樹脂から害虫駆除成分を長期間にわたり放出することが可能となる。
【００３１】
本体１１は、略円盤状のベース２１と、ベース２１の外周部近傍から立設する略円筒形の壁部２２とを備えている。壁部２２には、後に詳述する蓋部１２の係合突起３５Ａ及び３５Ｂがそれぞれ係合する係合穴２３Ａ及び２３Ｂが、互いに１８０度位相した位置に形成されている。また、壁部２２の係合穴２３Ａ及び２３Ｂが形成されている領域の、ベース２１とは反対側の端面には、当該端面から突出した凸部２４Ａ及び２４Ｂが各々形成されている。この凸部２４Ａ及び２４Ｂは、本体１１に蓋部１２を被せた際（図７参照）に、蓋部１２の天井板３１に当接して、本体１１と蓋部１２との間に、後に詳述するネット５０が貫通するための貫通部２５（図７参照）を画定する。
【００３２】
蓋部１２は、略円盤状の天井板３１と、天井板３１の外周部近傍から立設する略円筒形の壁部３２とを備えている。壁部３２は、４つのスリット３３Ａ、３３Ｂ、３３Ｃ及び３３Ｄによって、４つの部分３４Ａ、３４Ｂ、３４Ｃ及び３４Ｄに区画されている。部分３４Ａ及び３４Ｂは、周方向の幅が、本体１１の凸部２４Ａ及び２４Ｂと略同一に形成されており、本体１１に蓋部１２を被せた際（図７参照）に、凸部２４Ａの周方向両側にスリット３３Ａ及び３３Ｂの一部が位置し、凸部２４Ｂの周方向両側にスリット３３Ｃ及び３３Ｄの一部が位置するようになっている。そして、スリット３３Ａ、３３Ｂ、３３Ｃ及び３３Ｄの、凸部２４Ａ及び４２Ｂの周方向両側に位置した（露出した）部分が、後に詳述するネット５０が貫通するための貫通部２５（図７参照）となる。
【００３３】
また、部分３４Ａ及び３４Ｂには、本体１１に形成された係合穴２３Ａ及び２３Ｂに係合する係合突起３５Ａ及び３５Ｂが各々形成されている。これらの係合突起３５Ａ及び３５Ｂは、特に図５に示すように、その突出量が、天井板３１側から図５に示す下端に向けて徐々に小さくなる傾斜面を有する鉤型形状を備えている。
【００３４】
この構成を備えた害虫駆除部材１０は、本体１１に蓋部１２を被せて、係合穴２３Ａ及び２３Ｂに係合突起３５Ａ及び３５Ｂを係合させた際に、ネット５０の交差部分から延出する４本の紐の部分が、凸部２４Ａ及び４２Ｂの周方向両側にそれぞれ形成された４つの貫通部２５から各々貫通するように、ネット５０の交差部分に取り付けられる。このようにして、図１に示す害虫駆除用製品１となる。
【００３５】
なお、ネット５０から害虫駆除部材１０を取り外すには、係合穴２３Ａ及び２３Ｂと係合突起３５Ａ及び３５Ｂとの係合を解除すればよい。
【００３６】
この害虫駆除用製品１は、ネット５０が、柔軟性のある素材で構成されているため、例えば、図８に示すように、トラクタ８０のような形状が複雑で大型の対象物に適用した場合であっても、トラクタ８０の形状に沿ってトラクタ８０を覆うことができ、トラクタ８０を害虫から保護することができる。また、害虫駆除部材１０がネット５０に取り付けられているため、個々の害虫駆除部材１０がバラバラに散らばることがなく、使用後の回収を簡単に行うことができる。
【００３７】
なお、本実施の形態では、害虫駆除部材１０をネット５０の交差部分に取り付けた場合について説明したが、これに限らず、害虫駆除部材１０は、ネット５０の他の部分に取り付けてもよい。また、害虫駆除部材１０は、ネット５０の全ての交差部分に取り付ける必要はなく、害虫駆除部材１０の取り付け箇所や取り付け数等は、所望により適宜変更することが可能であることは勿論である。
【００３８】
さらにまた、実施の形態１では、本体１１と蓋部１２の両方とも害虫駆除成分が含有された材料から形成した場合について説明したが、これに限らず、本体１１と蓋部１２のいずれか一方のみを害虫駆除成分が含有された材料から形成してもよい。また、前記材料としては、樹脂を用いた場合について説明したが、これに限らず、害虫駆除成分を含有して害虫駆除成分の効果を発揮することが可能であれば、害虫駆除用製品１を使用する環境や条件等に応じて適宜選択することができる。
【００３９】
また、害虫駆除部材１０を連結する連結部材は、ネット５０に限らず、例えば、図９に示すように、ロープ６０であってもよい。また、複数の害虫駆除部材１０を連結することが可能であれば、例えば、シートやパネル等に、害虫駆除部材１０を取り付ける部分を形成し、ここに害虫駆除部材１０を取り付けることで、各々の害虫駆除部材１０を連結する等、他の構成を有する連結部材を使用してもよいことは勿論である。この場合、シートやパネルは、柔軟性のある素材から構成されていてもよく、柔軟性のない素材から構成されてもよい。そしてまた、連結部材自身も、害虫駆除成分が含有された材料から形成してもよい。
【００４０】
そしてまた、害虫駆除部材１０は、前述した構成に限らず、害虫駆除成分が含有された材料から形成され、連結部材によって連結されることが可能であれば、種々の形態を取ることができる。
【００４１】
例えば、本発明にかかる害虫駆除部材は、図１０及び図１１に示すような構成であってもよい。具体的には、図１０及び図１１に示す害虫駆除部材１００は、本体１１１と、蓋部１１２を備えて構成されている。本体１１１及び蓋部１１２は、害虫駆除成分が含有された材料から形成されている。
【００４２】
本体１１１は、略円柱状を有している。蓋部１１２は、略円盤状の天井板１３１と、天井板１３１の外周部近傍から立設する複数の脚部１３２とを備えている。脚部１３２の先端には、爪部１３３が形成されており、蓋部１１２を本体１１１に被せた際に、この爪部１３３が本体１１１の底面に係合することで、図１１に示すように、本体１１１は、蓋部１１２に着脱可能に保持される。そして、本体１１１は、本体１１１が蓋部１１２に保持された際に、本体１１１と、蓋部１１２の天井板１３１との間に、空間が形成されるような高さで形成されており、この空間が、連結部材が貫通するための貫通部２５（図１１参照）となる。
【００４３】
また、本発明にかかる害虫駆除部材は、図１２及び図１３に示すような構成であってもよい。具体的には、図１２及び図１３に示す害虫駆除部材２００は、本体２１１と、蓋部２１２を備えて構成されている。この本体２１１及び蓋部２１２は、害虫駆除成分が含有された材料から形成されている。
【００４４】
本体２１１は、略円盤状のベース２２１と、ベース２２１上に立設された略円柱状の柱部２２２と、柱部２２２上に形成された略円盤状のフランジ部２２３とを備えている。柱部２２２とフランジ部２２３の平面視で直径に相当する部分には、柱部２２２及びフランジ部２２３を径方向に貫通する溝部２３３が形成されている。
【００４５】
蓋部２１２は、略円盤状を有すると共に、断面略コ字状を有している。この蓋部２１２の内周面の先端には、爪部２３４が形成されており、蓋部２１２を本体２１１に被せた際に、蓋部２１２を本体２１１に被せた際に、この爪部２３４が本体２１１のフランジ部２２３に着脱可能に係合することで、図１３に示すように、本体２１１は、蓋部２１２に着脱可能に保持される。そして、蓋部２１２は、本体２１１に被せた際に、本体２１１のベース２２１との間に空間を形成するような高さで形成されており、本体２１１の溝部２３３と、蓋部２１２とによって形成される空間が、連結部材が貫通するための貫通部２５（図１３参照）となる。
【００４６】
さらにまた、本発明にかかる害虫駆除部材は、図１４及び図１５に示すような構成であってもよい。具体的には、図１４及び図１５に示す害虫駆除部材３００は、本体３１１と、蓋部３１２とを備えて構成されている。この本体３１１及び蓋部３１２は、害虫駆除成分が含有された材料から形成されている。
【００４７】
本体３１１は、略円盤状を有し、その外周部近傍には、平面視で平行な２本の溝部３３３Ａ及び３３３Ｂが径方向に貫通形成されている。また、本体３１１には、後に詳述する蓋部３１２の係合部３３４が係合する爪部３３５が突出形成されている。
【００４８】
蓋部３１２は、中空の略円盤状を有し、ヒンジ部３３６を介して本体３１１に接続されている。この蓋部３１２には、蓋部３１２を本体３１１に被せた際に、爪部３３５と対応する位置に、爪部３３５に着脱可能に係合する係合部３３４が形成されている。そして、蓋部３１２を本体３１１に被せた際に、本体３１１に形成された溝部３３３Ａ及び３３３Ｂが、連結部材が貫通するための貫通部２５（図１５参照）となる。
【００４９】
また、図１６に示すように、本発明にかかる害虫駆除用製品２は、害虫駆除部材７０をネット５０に対して、予め固定した（着脱可能でない）構成を備えていてもよい。また、他の構成の連結部材に予め固定した構成を備えていてもよい。
【００５０】
そしてまた、本発明にかかる害虫駆除部材は、図１７及び図１８に示すような構成であってもよい。具体的には、図１７及び図１８に示す害虫駆除部材４００は、略円盤状の本体４１１と、本体４１１上に形成された略Ｃ字状のフック部４１２とを備えて構成されている。この本体４１１及びフック部４１２は、害虫駆除成分が含有された材料から形成されている。そして、フック部４１２の内側が、連結部材が貫通するための貫通部２５となる。
【００５１】
さらにまた、本発明にかかる害虫駆除部材は、図１９及び図２０に示すような構成であってもよい。具体的には、図１９及び図２０に示す害虫駆除部材５００は、略円盤状の本体５１１と、本体５１１上に形成され且つ開口部を上部にした略Ｃ字状のフック部５１２とを備えて構成されている。この本体５１１及びフック部５１２は、害虫駆除成分が含有された材料から形成されている。そして、フック部５１２の内側が、連結部材が貫通するための貫通部２５となる。
【００５２】
そしてまた、本発明にかかる害虫駆除部材は、薬殺成分を含有する害虫駆除部材、成長制御成分を含有する害虫駆除部材、忌避成分を含有する害虫駆除部材、誘引成分を含有する害虫駆除部材のいずれかであってもよい。
【００５３】
また、図２１に示すように、薬殺成分を含有する害虫駆除部材１０Ａと、誘引成分を含有する害虫駆除部材１０Ｂとを、ネット５０に配設した害虫駆除用製品３を提供してもよい。この場合、誘引成分を含有する害虫駆除部材１０Ｂによって害虫を誘引し、誘引された害虫を、薬殺成分を含有する害虫駆除部材１０Ａによって薬殺することで、害虫を駆除することができる。
【００５４】
そしてまた、図２２に示すように、成長制御成分を含有する害虫駆除部材１０Ｃと、誘引成分を含有する害虫駆除部材１０Ｂとを、ネット５０に配設した害虫駆除用製品４を提供してもよい。この場合、誘引成分を含有する害虫駆除部材１０Ｂによって害虫を誘引し、誘引された害虫の成長を抑制（阻止）することで、害虫を駆除することができる。
【００５５】
また、図２３に示すように、薬殺成分を含有する害虫駆除部材１０Ａと、忌避成分を含有する害虫駆除部材１０Ｄとを、ネット５０に配設した害虫駆除用製品５を提供してもよい。この場合、忌避成分を含有する害虫駆除部材１０Ｄによって、害虫を対象物に近づけなくすると共に、仮に近づいてきた害虫があったとしても、薬殺成分を含有する害虫駆除部材１０Ａによって薬殺することで、害虫を駆除することができる。
【００５６】
なお、図２１〜図２３に示すように、害虫駆除部材１０Ａ〜１０Ｄを適宜組み合わせて使用することで、害虫駆除におけるマルチ機能を高めることが可能となる。また、害虫駆除部材１０Ａ〜１０Ｄの組合せとしては、前述した組合せの他、薬殺成分を含有する害虫駆除部材１０Ａと、成長制御成分を含有する害虫駆除部材１０Ｃであってもよく、成長制御成分を含有する害虫駆除部材１０Ｃと、忌避成分を含有する害虫駆除部材１０Ｄであってもよい。また、これらの害虫駆除部材１０Ａ〜１０Ｄのうち、３種類以上でもよい。そしてまた、害虫駆除部材１０Ａ〜１０Ｄの配置数、配置箇所等は、所望により決定することができる。
【００５７】
さらにまた、図２４に示すように、薬殺成分を含有する害虫駆除部材１０Ａと、誘引成分を含有する害虫駆除部材１０Ｂと、成長制御成分を含有する害虫駆除部材１０Ｃと、忌避成分を含有する害虫駆除部材１０Ｄとを、ネット５０に配設した害虫駆除用製品６を提供してもよい。この場合、より効果的に害虫を駆除することができる。すなわち、薬殺成分、成長制御成分、忌避成分、誘引成分の効果は、害虫の種類によって違うことがあるが、屋外等の場所では、害虫の種類が一種類であることは希であり、通常は、複数種類の害虫を駆除する必要がある。したがって、複数種（ここでは４種類）の害虫駆除部材１０Ａ〜１０Ｄを使用することで、複数種類の害虫に対応する範囲を広くする（選択性を高める）ことができる。
【００５８】
そしてまた、図２１〜図２４に示す害虫駆除用製品３〜６も、連結部材としてネット５０の他、ロープ６０や、シートやパネル等、他の構成のものを使用することもできる。
【図面の簡単な説明】
【００５９】
【図１】本発明の本実施の形態にかかる害虫駆除用製品の斜視図である。
【図２】図１に示す害虫駆除用製品の構成要素である害虫駆除部材の本体を示す正面図である。
【図３】図２に示す本体の側面図である。
【図４】図１に示す害虫駆除用製品の構成要素である害虫駆除部材の蓋部を示す正面図である。
【図５】図４に示す蓋部の側面図である。
【図６】図２に示す本体に図４に示す蓋部を被せる状態を示す正面図である。
【図７】図１に示す害虫駆除用製品の構成要素である害虫駆除部材の正面図である。
【図８】図８は、図１に示す害虫駆除用製品をトラクタに適用した状態を示す斜視図である。
【図９】本発明の他の本実施の形態にかかる害虫駆除用製品の斜視図である。
【図１０】本発明の他の本実施の形態にかかる害虫駆除用製品の構成要素である本体に蓋部を被せる状態を示す正面図である。
【図１１】本発明の他の本実施の形態にかかる害虫駆除用製品の構成要素である害虫駆除部材の正面図である。
【図１２】本発明の他の本実施の形態にかかる害虫駆除用製品の構成要素である本体に蓋部を被せる状態を示す正面図である。
【図１３】本発明の他の本実施の形態にかかる害虫駆除用製品の構成要素である害虫駆除部材の正面図である。
【図１４】本発明の他の本実施の形態にかかる害虫駆除用製品の構成要素である本体に蓋部を被せる状態を示す正面図である。
【図１５】本発明の他の本実施の形態にかかる害虫駆除用製品の構成要素である害虫駆除部材の正面図である。
【図１６】本発明の他の本実施の形態にかかる害虫駆除用製品の斜視図である。
【図１７】本発明の他の本実施の形態にかかる害虫駆除部材の側面図である。
【図１８】本発明の他の本実施の形態にかかる害虫駆除部材の斜視図である。
【図１９】本発明の他の本実施の形態にかかる害虫駆除部材の側面図である。
【図２０】本発明の他の本実施の形態にかかる害虫駆除部材の斜視図である。
【図２１】本発明の他の本実施の形態にかかる害虫駆除用製品の斜視図である。
【図２２】本発明の他の本実施の形態にかかる害虫駆除用製品の斜視図である。
【図２３】本発明の他の本実施の形態にかかる害虫駆除用製品の斜視図である。
【図２４】本発明の他の本実施の形態にかかる害虫駆除用製品の斜視図である。
【符号の説明】
【００６０】
１、２、３、４、５、６    害虫駆除用製品
１０、７０、１００、２００、３００、４００、５００    害虫駆除部材
１１、１１１、２１１、３１１、４１１、５１１    本体
１２、１１２、２１２、３１２    蓋部
２５    貫通部
５０    ネット
６０    ロープ
８０    トラクタ
４１２、５１２    フック
【図１】
2007097431.tif 000003
【図２】
2007097431.tif 000004
【図３】
2007097431.tif 000005
【図４】
2007097431.tif 000006
【図５】
2007097431.tif 000007
【図６】
2007097431.tif 000008
【図７】
2007097431.tif 000009
【図８】
2007097431.tif 000010
【図９】
2007097431.tif 000011
【図１０】
2007097431.tif 000012
【図１１】
2007097431.tif 000013
【図１２】
2007097431.tif 000014
【図１３】
2007097431.tif 000015
【図１４】
2007097431.tif 000016
【図１５】
2007097431.tif 000017
【図１６】
2007097431.tif 000018
【図１７】
2007097431.tif 000019
【図１８】
2007097431.tif 000020
【図１９】
2007097431.tif 000021
【図２０】
2007097431.tif 000022
【図２１】
2007097431.tif 000023
【図２２】
2007097431.tif 000024
【図２３】
2007097431.tif 000025
【図２４】
2007097431.tif 000026